(57)【要約】【課題】水中での使用が可能な電子機器において防水機能を向上させることを目的とする。【解決手段】本発明に係る電子機器は、本体に形成された格納室の開口部を塞ぐための蓋２を備えると共に、蓋２を閉じ位置でロックするためのロック機構３が設けられている。蓋２は、開口部を塞ぐ蓋部２１と、本体に対して蓋部２１を開閉可能に支持すると共に蓋部２１の裏面を覆う支持部２２と、蓋２を閉じたときに開口部を封止する封止部材２４とを有する。蓋部２１及び支持部２２のそれぞれには、ロック機構３の部品が配置される貫通孔２１３，２２４ａが形成されている。そして、蓋２は、板部材２３と、フック２３１及びネジ孔２３２とを更に有する。板部材２３は、支持部２２と封止部材２４との間に介在し、貫通孔２２４ａを塞ぐ。フック２３１及びネジ孔２３２は、板部材２３を支持部２２に固定するためのものである。【選択図】図６
2010008685.tif 000002
【特許請求の範囲】
【請求項１】
本体に形成された格納室の開口部を塞ぐための蓋を備えると共に、当該蓋を閉じ位置でロックするためのロック機構が設けられており、前記蓋は、前記開口部を塞ぐ蓋部と、前記本体に対して前記蓋部を開閉可能に支持すると共に前記蓋部の裏面の少なくとも一部を覆う支持部と、前記蓋を閉じたときに前記開口部を封止する封止部材とを有する電子機器において、
前記蓋部には、前記ロック機構を構成する第１部品を配置するための１または複数の貫通孔が形成されており、
前記支持部には、前記ロック機構を構成する第２部品を配置するための１または複数の貫通孔が形成されており、
前記蓋は、
前記支持部と前記封止部材との間に介在し、前記支持部に形成されている前記１または複数の貫通孔を塞ぐ板部材と、
前記蓋を閉じたときに前記開口部の外側に配置され、前記板部材を前記支持部に固定する固定機構と
を更に有する、ことを特徴とする電子機器。
【請求項２】
本体に形成された格納室の開口部を塞ぐための蓋を備えると共に、当該蓋を閉じ位置でロックするためのロック機構が設けられており、前記蓋は、前記開口部を塞ぐ蓋部と、前記本体に対して前記蓋部を開閉可能に支持すると共に前記蓋部の裏面の少なくとも一部を覆う支持部と、前記蓋を閉じたときに前記開口部を封止する封止部材とを有する電子機器において、
前記蓋部には、前記ロック機構を構成する第１部品を配置するための１または複数の貫通孔が形成されており、
前記支持部には、前記ロック機構を構成する第２部品を配置するための１または複数の貫通孔が形成されており、
前記蓋は、
前記封止部材の前記支持部側の表面に密着しており、前記蓋を閉じたときに前記封止部材を介して前記開口部の全体を覆い、少なくとも前記開口部を覆う部分には貫通孔がない板部材と、
前記蓋を閉じたときに前記開口部の外側に配置され、前記板部材を前記支持部に固定する固定機構と
を更に有する、ことを特徴とする電子機器。
【請求項３】
前記固定機構は、
前記蓋を閉じたときに前記開口部の外側に位置し、前記板部材を前記支持部に係合する係合機構と、
前記蓋を閉じたときに前記開口部の外側に位置し、前記係合機構により前記板部材を前記支持部に係合させた状態で前記板部材を前記支持部に締結する締結機構と
から構成されている、請求項１または請求項２に記載の電子機器。
【請求項４】
前記支持部には、当該支持部を回動自在に前記本体に取り付けるためのヒンジ機構が、前記開口部の外側に位置に設けられており、
前記係合機構は、前記支持部の前記ヒンジ機構とは反対側の端にて前記板部材を前記支持部に係合させ、前記締結機構は、前記板部材を前記ヒンジ機構に締結する、請求項３に記載の電子機器。
【発明の詳細な説明】
【技術分野】
【０００１】
本発明は、電子機器に関し、特に水中での使用が可能な電子機器に関する。
【背景技術】
【０００２】
デジタルカメラなどの電子機器には、充電池やメモリカードを格納するための格納室が本体に形成されており、当該格納室を塞ぐための蓋が本体に取り付けられている。このような電子機器には、従来から、閉じられた蓋をロックするためのロック機構が採用されており、操作者の意図に反して蓋が開いてしまうことを防止している。
【０００３】
具体的には蓋は、開口部を塞ぐための蓋部と、本体に対して蓋部を開閉可能に支持する支持部とから構成されている。支持部は、蓋部の裏面に摺動自在に取り付けられており、蓋部のスライドを可能にすると共に、当該蓋部をスライドさせることにより蓋の回転開閉が可能となる構造になっている。そして、ロック機構は、当該支持部と蓋との間に配置されており、蓋が閉じられたときに自動的にロック機構が機能し、ロックボタンを操作することによりロックが解除されるように構成されている。
【０００４】
デジタルカメラを小型化するためには、蓋の厚みは小さい方が好ましい。蓋の厚みを小さくするためには、支持部を蓋部に接近させる必要がある。しかし、支持部を蓋部に接近させると、支持部とロック機構とが干渉してしまい、スライド機構やロック機構の機能を妨げてしまう。そこで、支持部を蓋部に接近させた場合に支持部とロック機構とが干渉しないように、支持部には１つまたは複数の貫通孔が形成されている。
【０００５】
また、蓋部には貫通孔が形成されており、上記ロックボタンは当該貫通孔に配置されている。これにより、蓋の外側からの操作が可能となっている。
【０００６】
このように蓋には、蓋部及び支持部のいずれにも貫通孔が形成されているため、水中で使用可能なデジタルカメラには、かかる蓋を採用することができない。すなわち、かかる蓋を採用したデジタルカメラを水中で使用すると、貫通孔を介して格納室内に水が浸入してしまう。格納室に水が浸入すると、格納室に格納されている充電池やメモリカードが故障するだけでなく、デジタルカメラ自体が故障してしまうおそれがある。
【０００７】
そこで、従来から、支持部には、蓋部とは反対側の表面に、両面テープを介して防水用のゴムパッキンが貼り付けられている。当該ゴムパッキンは平板状で孔がなく、支持部の表面全体を覆っていた。
【０００８】
なお、本発明に関連する技術を以下に示す。
【特許文献１】特開２００３−１３２７５７号公報
【発明の開示】
【発明が解決しようとする課題】
【０００９】
しかし、ゴムパッキンを貼り付けた蓋を採用したデジタルカメラであっても、当該デジタルカメラを水中で使用すると、格納室に水が浸入するおそれがある。すなわち、貫通孔を経て浸入した水の圧力によってゴムパッキンが押され、両面テープが剥がれしまい、ゴムパッキンと支持部との間に、貫通孔と格納室とを連通する通路が形成されるおそれがある。かかる通路が形成されてしまうと、当該通路を介して水が格納室へと浸入してしまい、防水機能が損なわれる。
【００１０】
本発明は、上述した事情に鑑みてなされたものであり、水中での使用が可能な電子機器において防水機能を向上させることを目的とする。
【課題を解決するための手段】
【００１１】
本発明の第１態様に係る電子機器は、本体（１）に形成された格納室（１３）の開口部（１３１）を塞ぐための蓋（２）を備えると共に、当該蓋（２）を閉じ位置でロックするためのロック機構（３）が設けられており、蓋（２）は、開口部（１３１）を塞ぐ蓋部（２１）と、本体（１）に対して蓋部（２１）を開閉可能に支持すると共に蓋部（２１）の裏面の少なくとも一部を覆う支持部（２２）と、蓋（２）を閉じたときに開口部（１３１）を封止する封止部材（２４）とを有する。かかる電子機器において、蓋部（２１）には、ロック機構（３）を構成する第１部品（３１１）を配置するための１または複数の貫通孔（２１３）が形成されており、支持部（２２）には、ロック機構（３）を構成する第２部品（３３）を配置するための１または複数の貫通孔（２２４ａ）が形成されている。そして、蓋（２）は板部材（２３）と固定機構とを更に有する。板部材（２３）は、支持部（２２）と封止部材（２４）との間に介在し、支持部（２２）に形成されている１または複数の貫通孔（２２４ａ）を塞ぐ。固定機構は、蓋を閉じたときに開口部（１３１）の外側に配置され、板部材（２３）を支持部（２２）に固定する。
【００１２】
上記第１態様に係る電子機器によれば、水中で使用した場合、蓋部に形成されている貫通孔から浸入した水が、支持部に形成されている貫通孔に浸入したとしても、当該貫通孔は板部材で塞がれているので、当該貫通孔に浸入した水の圧力による封止部材の変形が防止できる。よって、封止部材の防水機能の低下を防止することができる。しかも、蓋を閉じたときに開口部の外側の位置に固定機構が配置されているので、板部材のうち、蓋を閉じたときに開口部の内側に位置することとなる部位には、貫通孔などが形成されない。よって、固定機構を設けたことによる防水機能への悪影響はない。
【００１３】
本発明の第２態様に係る電子機器は、本体（１）に形成された格納室（１３）の開口部（１３１）を塞ぐための蓋（２）を備えると共に、当該蓋（２）を閉じ位置でロックするためのロック機構（３）が設けられており、蓋（２）は、開口部（１３１）を塞ぐ蓋部（２１）と、本体（１）に対して蓋部（２１）を開閉可能に支持すると共に蓋部（２１）の裏面の少なくとも一部を覆う支持部（２２）と、蓋（２）を閉じたときに開口部（１３１）を封止する封止部材（２４）とを有する。かかる電子機器において、蓋部（２１）には、ロック機構（３）を構成する第１部品（３１１）を配置するための１または複数の貫通孔（２１３）が形成されており、支持部（２２）には、ロック機構（３）を構成する第２部品（３３）を配置するための１または複数の貫通孔（２２４ａ）が形成されている。そして、蓋（２）は板部材（２３）と固定機構とを更に有する。板部材（２３）は、封止部材（２４）の支持部（２２）側の表面に密着しており、蓋（２）を閉じたときに封止部材（２４）を介して開口部（１３１）の全体を覆い、少なくとも開口部（１３１）を覆う部分には貫通孔がない。固定機構は、蓋を閉じたときに開口部（１３１）の外側に配置され、板部材（２３）を支持部（２２）に固定する。
【００１４】
上記第２態様に係る電子機器によれば、水中で使用した場合、蓋部及び支持部に形成されている貫通孔から水が浸入したとしても、開口部を塞ぐ部分に貫通孔のない板部材が封止部材に密着しているので、浸入した水の圧力による封止部材の変形が防止できる。よって、封止部材の防水機能の低下を防止することができる。しかも、蓋を閉じたときに開口部の外側の位置に固定機構が配置されているので、板部材のうち、蓋を閉じたときに開口部の内側に位置することとなる部位には、貫通孔などが形成されない。よって、固定機構を設けたことによる防水機能への悪影響はない。
【００１５】
上記第１及び第２態様に係る電子機器の具体的な態様においては、固定機構は、係合機構（２３１）と締結機構（２２４ｃ，２３２）とから構成されている。係合機構（２３１）は、蓋（２）を閉じたときに開口部（１３１）の外側に位置し、板部材（２３）を支持部（２２）に係合する。締結機構（２２４ｃ，２３２）は、蓋（２）を閉じたときに開口部（１３１）の外側に位置し、係合機構（２３１）により板部材（２３）を支持部（２２）に係合させた状態で板部材（２３）を支持部（２２）に締結する。
【００１６】
より具体的には、支持部（２２）には、当該支持部（２２）を回動自在に本体（１）に取り付けるためのヒンジ機構が、開口部（１３１）の外側の位置に設けられている。そして、係合機構（２３１）は、支持部（２２）のヒンジ機構とは反対側の端にて板部材（２３）を支持部（２２）に係合させ、締結機構（２２４ｃ，２３２）は、板部材（２３）をヒンジ機構に締結する。
【００１７】
上記具体的な態様によれば、支持部に形成されている貫通孔を塞いだ状態で、板部材を支持部に固定することができる。
【発明の効果】
【００１８】
本発明に係る電子機器によれば、水中で使用する際の防水機能を向上させることができる。
【発明を実施するための最良の形態】
【００１９】
以下、電子機器であるデジタルカメラに本発明を実施した形態について、図面に沿って具体的に説明する。
【００２０】
１．デジタルカメラの概略
本発明の実施の形態にかかるデジタルカメラは、図１及び図２に示されるように、本体１と蓋２とから構成されている。本体１には、レンズなどで構成された撮像機構１１や、デジタルカメラを操作するための操作部１２が配置されている。図１では、操作部１２は、撮像機構１１による撮影を実行するための操作ボタン１２１と、撮影に関する設定を行うための設定ボタン１２２とから構成されている。
【００２１】
さらに本体１には、図４に示されるように、デジタルカメラの駆動に必要な電源を供給する充電池６１、及び撮影した画像を記録するためのメモリカード６２を格納するための格納室１３が形成されている。格納室１３内には、格納された充電池６１の格納室１３からの抜けを防止すべく、抜け防止機構１３２が設けられている。蓋２は、このような格納室１３の開口部１３１を塞ぐためのものである。
【００２２】
上記デジタルカメラでは、操作者の意図に反して蓋２が開いてしまうことを防止すべく、図２に示されるように、蓋２を閉じ位置でロックするためのロック機構３が設けられている。また、図４に示されるように、本体１に蓋２を引っ掛けるための引っ掛け穴１１１が形成されている。
【００２３】
蓋２は、図３に示されるように閉じ位置（図２）からのスライドが可能であり、スライドすることにより蓋２の引っ掛け穴１１１への引っ掛かりが解除される構成となっている。しかも蓋２は、引っ掛け穴１１１への引っ掛かりが解除されたときに回転開閉が可能となるように構成されている。以下、蓋２及びロック機構３の具体的な構成について説明する。
【００２４】
２．蓋及びロック機構について
蓋２は、図５〜図９に示されるように、蓋部２１、支持部２２、板部材２３、及び封止部材２４から構成されている。以下、各構成要素について具体的に説明する。
【００２５】
＜蓋部２１＞
蓋部２１は、図２及び図４に示されるように、蓋２が閉じられたときに格納室１３の開口部１３１を塞ぐ。蓋部２１の裏面２１１には、図５に示されるように、支持部２２に対して蓋部２１を蓋２の長手方向９１に沿ってスライドさせることが可能となるように、スライド係設部２１４が設けられている。具体的には、スライド係設部２１４は、長手方向９１に沿って延びている。そしてスライド係設部２１４には、その内側の位置に、後述するスライド係合部２２５を係合するための溝が長手方向９１に沿って形成されている。
【００２６】
蓋部２１には、図７に示されるように、爪部２１５が形成されている。蓋部２１を長手方向９１と反対方向へスライドさせることにより（図３）、爪部２１５は引っ掛け穴１１１に引っ掛かる。他方、蓋部２１長手方向９１へスライドさせることにより、爪部２１５の引っ掛け孔１１１への引っ掛かりが解除される。引っ掛かりを解除することにより、蓋２の回転開閉が可能となる（図４）。
【００２７】
蓋部２１の裏面２１１には、図５に示されるようにロック機構３が設けられている。そして、蓋部２１には、図７に示されるように、ロック機構３を操作するための貫通孔２１３が形成されている。
【００２８】
＜ロック機構３＞
ロック機構３は、図５に示されるように、後述する支持部２２に形成された切込み２２２ａへの引っ掛けが可能なロック部３１と、可撓性を有する金具３２と、蓋部２１の裏面２１１に突設された突起部３３とを有する。突起部３３は、蓋部２１の長手方向９１に向かってロック部３１から離れた位置にて配置されており、蓋部２１に対して金具３２の一端を支持する。金具３２の他端は、ロック部３１に連結されている。
【００２９】
これにより、金具３２が有する可撓性を利用して、蓋２の短手方向９２へロック部３１を付勢することができる。よって、付勢されたロック部３１は、支持部２２に形成された切込み２２２ａに対向した場合に、付勢力によって当該切込み２２２ａに嵌ることで引っ掛かる。これによりロックが掛かる。
【００３０】
ロック部３１には、図６に示されるように爪部３１１が形成されており、爪部３１１は、貫通孔２１３に配置されている。これにより、蓋部２１の表面２１２からのロック部３１の操作が可能となる。具体的に、爪部３１１を用いて、切込み２２２ａに引っ掛かっているロック部３１を短手方向９２とは反対方向へ移動させることにより、ロックを解除することができる。
【００３１】
＜支持部２２＞
支持部２２は、本体１に対して蓋部２１を開閉可能に支持する。具体的には、支持部２２は、図５及び図６に示されるように、平板部２２１、立設部２２２、ヒンジ部２２３、スライド係合部２２５、及び係止部２２６から構成されている。
【００３２】
平板部２２１は、蓋部２１の裏面２１１のほぼ全域を覆っており、平板部２２１には貫通孔２２４ａ，２２４ｂが形成されている。貫通孔２２４ａは、ロック機構３の突起部３３を配置するための孔である。貫通孔２２４ｂは、平板部２２１を切り起こして係止部２２５を形成する際にできた孔である。
【００３３】
立設部２２２は、短手方向９２についての平板部２２１の両端２２１ａ，２２１ｂ（図５）に立設されており、蓋部２１に向かって突出している。これにより、支持部２２を蓋部２１に取り付けたときに、平板部２２１は蓋部２１の裏面２１１から離間することとなり、ロック機構３を配設するための空間が形成される。立設部２２２には、上述したロック機構３のロック部３１を嵌めて引っ掛けるための切込み２２２ａが形成されている。
【００３４】
ヒンジ部２２３は、長手方向９１についての平板部２２１の一端２２１ｃに設けられており、図４に示されるように、開口部１３１の外側の位置にて本体に形成されているヒンジ受け部１４に、回転自在に取り付けられる。これにより、支持部２２は本体１に対して回転自在となり、以って蓋２の回転開閉（図４）が可能となる。なお、支持部２２を回転自在に本体１に取り付けることができるものであれば、ヒンジ部２２３に代えて、他のヒンジ機構を採用することができる。
【００３５】
またヒンジ部２２３には、ネジ２６によって板部材２３を支持部２２に締結するためのネジ孔２２４ｃが形成されている。
【００３６】
スライド係合部２２５は、立設部２２２の先端に連結されており、当該先端から外側に向かって突出している。スライド係合部２２５は、蓋部２１に設けられているスライド係設部２１４に摺動自在に係合することにより、長手方向９１への蓋部２１のスライドが可能となる。
【００３７】
係止部２２６は、平板部２２１の一部を蓋部２１の方へと切り起こすことにより形成されている。蓋部２１が平板部２２１に対してスライドしたときに、蓋部２１に設けられた段差が係止部２２６に引っ掛かることにより、蓋部２１は所定の位置に係止される。
【００３８】
＜板部材２３＞
板部材２３は、図５、図６及び図９に示されるように支持部２２に対して蓋部２１とは反対側から取り付けられ、支持部２２に形成されている貫通孔２２４ａ，２２４ｂを塞いでいる。また、板部材２３は、蓋２を閉じたときに後述する封止部材２４を介して開口部１３１の全体を覆うように配置されており、少なくとも開口部１３１を覆う部分２３３には貫通孔がない。
【００３９】
板部材２３は、貫通孔２２４ａ，２２４ｂを塞いだ状態で、支持部２２に固定される。具体的には、板部材２３は、長手方向９１についての板部材２３の一端２３ａにフック２３１が形成されており、他端２３ｂ近傍にネジ孔２３２が形成されている。そして、フック２３１及びネジ孔２３２はいずれも、蓋２を閉じたときに開口部１３１の外側に位置するように、板部材２３に配置されている。
【００４０】
フック２３１は、長手方向９１についての支持部２２の平板部２２１の端２２１ｄに係合することにより、平板部２２１に対して垂直な方向へと板部材２３が平板部２２１から離れることを阻止する。
【００４１】
フック２３１を平板部２２１の端２２１ｄに係合させた状態で、ネジ孔２３２を介してネジ２６をネジ孔２２４ｃに螺合することにより、板部材２３を支持部２２に固定することができる。フック２３１、並びにネジ２６及びネジ孔２２４ｃ，２３２によって、板部材２３が支持部２２に固定されることに鑑みれば、これらを纏めて固定機構と把握することができる。
【００４２】
なお、板部材２３を支持部２２に係合させることができるものであれば、フック２３１に代えて他の係合機構を採用してもよい。また、部材２３を支持部２２に締結することができるものであれば、ネジ２６及びネジ孔２２４ｃ，２３２に代えて、他の締結機構を採用することができる。ただし、他の係合機構及び締結機構を採用した場合であっても、当該係合機構及び締結機構は、蓋２を閉じたときに開口部１３１の外側に位置するように配置される。
【００４３】
＜封止部材２４＞
封止部材２４は、蓋２を閉じたときに開口部１３１を封止するためのゴムパッキンであり、図５及び図９に示されるように、板部材２３の支持部２２とは反対側の面２３４に取り付けられる。具体的には、封止部材２４は、図５に示されるように、両面テープ２５によって板部材２３の面２３４に貼り付けられる。これにより、封止部材２４と板部材２３とが互いに密着する。換言すれば、板部材２３は、封止部材２４の支持部２２側の表面２４ａ（図６）に密着する。
【００４４】
なお、封止部材２４には、蓋２を閉じたときに開口部１３１を封止することができるものであれば、孔のないゴムパッキン（図５）だけでなく、例えば図１０に示されるような中央付近に孔２４１が設けられたゴムパッキンを採用することができる。また、ゴムパッキンに代えて他の部材を採用することができる。
【００４５】
３．効果
上述したデジタルカメラによれば、水中で使用した場合において、蓋部２１に形成されている貫通孔２１３から浸入した水が、支持部２２に形成されている貫通孔２２４ａ，２２４ｂに浸入したとしても、貫通孔２２４ａ，２２４ｂは板部材２３で塞がれているので、貫通孔２２４ａ，２２４ｂに浸入した水の圧力による封止部材２４の変形が防止できる。よって、封止部材２４の剥がれなどによって生じる封止部材２４の防水機能の低下を防止することができ、以って水中で使用する際のデジタルカメラの防水機能を向上させることができる。
【００４６】
しかも、係合機構であるフック２３１、並びに締結機構であるネジ２６及びネジ孔２２４ｃ，２３２は、蓋２を閉じたときに開口部１３１の外側に位置するように設けられている。換言すれば、板部材２３のうち、蓋２を閉じたときに開口部１３１の内側に位置することとなる部位には、貫通孔などを形成する必要がない。よって、フック２３１、並びにネジ２６及びネジ孔２２４ｃ，２３２を設けたことによる防水機能への影響はない。
【００４７】
４．他の実施例
上述したデジタルカメラでは、板部材２３は、封止部材２４の支持部２２側の表面２４ａに密着しており、蓋２を閉じたときに封止部材２４を介して開口部１３１を塞ぐ。しかも、板部材２３のうち開口部１３１を塞ぐ部分２３３には、貫通孔がない。よって、上述したデジタルカメラについて、支持部２２に形成されている貫通孔２２４ａ，２２４ｂが板部材２３によって封止部材２４側から塞がれていない態様であっても、以下のような効果が得られる。なお、本実施例に係るデジタルカメラの構成は、貫通孔２２４ａ，２２４ｂが板部材２３によって塞がれていなくてもよいという点を除いて、上述したデジタルカメラと同じであるので、説明を省略する。
【００４８】
本実施例に係るデジタルカメラによれば、水中で使用した場合において、蓋部２１及び支持部２２に形成されている貫通孔２１３，２２４ａ，２２４ｂから水が浸入したとしても、開口部１３１を塞ぐ部分２３３に貫通孔のない板部材２３が、封止部材２４の支持部２２側の面２４ａに密着しているので、浸入した水の圧力による封止部材２４の変形が防止できる。よって、封止部材２４の剥がれなどによって生じる封止部材２４の防水機能の低下を防止することができ、以って水中で使用する際のデジタルカメラの防水機能を向上させることができる。
【００４９】
本実施例に係るデジタルカメラにおいても、上述したデジタルカメラと同様に、図１０に示されるような中央付近に孔２４１が設けられたゴムパッキンを、封止部材２４として採用することができる。
【００５０】
なお、本発明の各部構成は上記実施の形態に限らず、特許請求の範囲に記載の技術的範囲内で種々の変形が可能である。例えば、デジタルカメラに限らず種々の電子機器に、上述した技術を適用することができる。また、上述した技術は、上述したようにスライドすることによって回転開閉が可能となる蓋２に限らず、種々の形態の蓋に適用することができる。
【図面の簡単な説明】
【００５１】
【図１】本発明の実施の形態に係るデジタルカメラを上面側から見た斜視図である。
【図２】本発明の実施の形態に係るデジタルカメラを底面側から見た斜視図である。
【図３】蓋部のスライド動作を示した斜視図である。
【図４】蓋部の回転動作を示した斜視図である。
【図５】蓋を封止部材側から見たときの蓋の分解斜視図である。
【図６】蓋を蓋部側から見たときの蓋の分解斜視図である。
【図７】蓋部を示した斜視図である。
【図８】支持部、板部材、及び封止部材を組み立てたものを示した斜視図である。
【図９】図８に示されるIX‐IX線に沿う断面図である。
【図１０】封止部材に採用できる他の形状を示した斜視図である。
【符号の説明】
【００５２】
１  本体
１３  格納室
１３１  開口部
２  蓋
２１  蓋部
２１３  貫通孔
２２  支持部
２２４ａ  貫通孔
２３  板部材
２４  封止部材
２３１  フック（係合機構）
２２４ｃ，２３２  ネジ孔（締結機構）
３  ロック機構
３１１  爪部（第１部品）
３３  突起（第２部品）
【図１】
2010008685.tif 000003
【図２】
2010008685.tif 000004
【図３】
2010008685.tif 000005
【図４】
2010008685.tif 000006
【図５】
2010008685.tif 000007
【図６】
2010008685.tif 000008
【図７】
2010008685.tif 000009
【図８】
2010008685.tif 000010
【図９】
2010008685.tif 000011
【図１０】
2010008685.tif 000012